(57)【要約】【課題】  炊飯器本体の外装ケースとして側壁部と底壁部を合成樹脂で一体成型した電気炊飯器においては、着脱自在なマグネットプラグを介して給電し得るものはなかった。【解決手段】  電気炊飯器において、炊飯器本体１の外装ケース１１として、側壁部１２と底壁部１３とを合成樹脂で一体成型したものを使用するとともに、上記外装ケース１１にマグネットプラグを着脱自在に接合させるプラグ受け５を取付けていることにより、側壁部１２と底壁部１３を合成樹脂で一体成型した外装ケース１１を使用したものであっても、着脱自在なマグネットプラグを介して給電し得るようにした。【選択図】      図３
2005319015.tif 000002
【特許請求の範囲】
【請求項１】
炊飯器本体と、この炊飯器本体内に収納される内鍋と、上記炊飯器本体内に設置されていて上記内鍋を加熱する電気ヒータと、上記炊飯器本体の上部を覆う蓋体とを備え、かつ上記炊飯器本体の外装ケースの側壁部と底壁部とが合成樹脂により一体に成型されてなる電気炊飯器であって、上記炊飯器本体にはプラグ受けを介してマグネットプラグが着脱自在に取付けられるようになっていることを特徴とする電気炊飯器。
【請求項２】
プラグ受けは、外装ケースに取付けたプラグ受けカバーを介して炊飯器本体に取付けられていることを特徴とする請求項１記載の電気炊飯器。
【請求項３】
プラグ受けカバーに、プラグ受けの電極端子部分の上方をカバーするおねば受けを設けたことを特徴とする請求項２記載の電気炊飯器。
【請求項４】
プラグ受けカバーに、下向きに延出する垂下リブを一体に設け、該垂下リブをプラグ受けの両電極端子間において該電極端子の高さ位置まで延設していることを特徴とする請求項２又は３記載の電気炊飯器。
【請求項５】
垂下リブは、プラグ受けを下面側から係止していることを特徴とする請求項４記載の電気炊飯器。
【請求項６】
プラグ受けカバーにプラグ受けの電極端子部分を保守点検するための開口を設けるとともに、該開口を開閉可能な蓋板で閉塞していることを特徴とする請求項２，３，４又は５記載の電気炊飯器。
【請求項７】
蓋板の上面に、プラグ受けの両電極端子間において該電極端子の高さ位置まで立上げた立上げリブを設けていることを特徴とする請求項６記載の電気炊飯器。
【請求項８】
蓋板の立上げリブと、プラグ受けカバーに下向きに垂下する状態で設けた垂下リブとを係脱自在に係合させていることを特徴とする請求項７記載の電気炊飯器。
【発明の詳細な説明】
【技術分野】
【０００１】
本願発明は、電気炊飯器に関し、特にマグネットプラグを使用して給電するようにした電気炊飯器に関するものである。
【背景技術】
【０００２】
電気炊飯器においては、一般に、給電用の電気コードをコードリールに巻き取った状態で炊飯器本体内に収納しており、炊飯時（給電時）に該電気コードを引き出して、その先端のプラグをＡＣ電源（コンセント）に接続する。
【０００３】
ところが、このようにコードリール内蔵型の電気炊飯器では、炊飯器本体内にコードリールの設置スペースが必要であることから、炊飯器本体の外形が大きくなるとともに、電気コードをコードリールに巻き取った状態でもプラグが炊飯器本体から露出して見映えが悪いという問題があった。
【０００４】
ところで、公知の電気炊飯器の中には、着脱自在なマグネットプラグを使用して給電するようにしたものがある（例えば特許文献１参照）。この公知例である特許文献１の電気炊飯器は、炊飯器本体の外装ケースとして、側周面を覆う鋼板製の筒状ケースと底面を覆う合成樹脂製の底部材とを合体させたものを使用している。そして、該筒状ケースと底部材の結合部にマグネットプラグのプラグ受けを取付けるための切欠を形成して、該切欠部分にプラグ受けを取付けている。そして、このプラグ受けには、ＡＣ電源（コンセント）に接続されるマグネットプラグが着脱自在に接合される。
【０００５】
この公知例の電気炊飯器のように、マグネットプラグを接合させて給電するようにしたものでは、コードリールが不要になるので炊飯器本体をコンパクトに形成し得るとともに、給電不要時にはマグネットプラグを外しておくことができるので、外観がスッキリして、見映えもよくなるという利点がある。
【０００６】
【特許文献１】特開平４−２７２７１８号公報（明細書第１頁、図１）
【発明の開示】
【発明が解決しようとする課題】
【０００７】
以上のように、上記公知例（特許文献１）の電気炊飯器では、炊飯器本体の外装ケースとして側周面を覆う筒状ケースと底面を覆う底部材とを使用し、プラグ受けを筒状ケースと底部材との結合部に取付けているので、底部材を取り外せばプラグ受けの電極端子部を含む電源部分のメンテナンスも容易であり、マグネットプラグ構造を採用することができ、上述のようなメリットが生じる。しかし、このような構造の電気炊飯器では、他方、炊飯器本体の外装ケースに２部材（筒状ケースと底部材）を使用していることから、部品点数が多くなり、かつ該２部材（筒状ケースと底部材）の組付け及びプラグ受けの取付け等が、それぞれ面倒である。又、コストも高い。
【０００８】
そこで、上記炊飯器本体の外装ケースを合成樹脂で一体成型することが考えられる。このようにすると、上記のような問題が解決される。
【０００９】
ところが、そのような底部材及び側壁部一体型の外装ケースを採用した電気炊飯器において、上記公知文献のように直接マグネットプラグ受けを取付けるマグネットプラグ構造を採用しようとすると、底部材の取り外しが不可能であるから、内部電極端子やリード線接続部のメンテナンスを行いにくく、プラグ受けそのものを取り外すか、内ケース自体を取り外すことが必要となる。
【００１０】
従って、非常にメンテナンス性が悪く、従来一体型の外装ケースを採用した電気炊飯器では、マグネットプラグ方式は採用されていなかった。
【００１１】
本願発明は、このような問題を解決するためになされたもので、炊飯器本体の外装ケースを単一部材で構成することにより、その構造および組立てを簡単にできるようにする一方、プラグ受けを介してメンテナンス性良くマグネットプラグを取付けられるようにした電気炊飯器を提供することを目的とするものである。
【課題を解決するための手段】
【００１２】
本願発明は、上記目的を達成するために、次のような課題解決手段を備えている。尚、本願発明は、電気炊飯器を対象にしている。
【００１３】
(１)  第１の課題解決手段（請求項１の発明）
この発明の第１の課題解決手段は、炊飯器本体と、この炊飯器本体内に収納される内鍋と、上記炊飯器本体内に設置されていて上記内鍋を加熱する電気ヒータと、上記炊飯器本体の上部を覆う蓋体とを備え、かつ上記炊飯器本体の外装ケースの側壁部と底壁部とが合成樹脂により一体に成型されてなる電気炊飯器において、上記炊飯器本体にはプラグ受けを介してマグネットプラグが着脱自在に取付けられるようになっていることを特徴としている。
【００１４】
この第１の課題解決手段の構成によると、側壁部と底壁部を有する外装ケースが合成樹脂で一体成型されているので、外装ケースを少ない部品点数（単品のみ）で構成できる。又、このような外装ケースを有する炊飯器本体にマグネットプラグ着脱用のプラグ受けを介してマグネットプラグを着脱自在に取付けるようにしているので、電気炊飯器側に電気コードが不要となる。
【００１５】
(２)  第２の課題解決手段（請求項２の発明）
この発明の第２の課題解決手段は、上記第１の課題解決手段の構成において、プラグ受けは、外装ケースに取付けたプラグ受けカバーを介して炊飯器本体に取付けられていることを特徴としている。
【００１６】
プラグ受けは、外側電極端子（ピン部材）や内側電極端子、マグネットキャッチ用の金属板等を備えて構成されており、機能上の制約が大きい。従って、これを直接炊飯器本体に取付けるようにしようとしても、加工上の制約が大きく、着脱可能な取付け構造や、おねば侵入防止構造、メンテナンス可能な構造などを採用することができない。
【００１７】
ところが、以上のように、プラグ受けカバーを介して間接的に炊飯器本体に取付けるようにすると、プラグ受けをプラグ受けカバーに所定の関係で係合できるようにしさえすれば、加工上の自由度が高いプラグ受けカバーの方に所望の加工を施して炊飯器本体に対して自由に取付けることができるようになる。
【００１８】
従って、上記のように側壁部及び底壁部が一体の外装ケースを採用した場合にも、プラグ受けの取付構造の自由度が高くなり、しかもおねば侵入防止構造、メンテナンス用の開口などを簡単に実現することができるようになる。
【００１９】
そして、そのようにした場合、例えば上記プラグ受けカバーは、炊飯器本体の外装ケースに形成した開口に嵌め込んで取付け、又プラグ受けは、プラグ受けカバーに対してスライド可能な嵌合手段などで容易に取付けることができる。
【００２０】
(３)  第３の課題解決手段（請求項３の発明）
この発明の第３の課題解決手段は、上記第２の課題解決手段の構成において、プラグ受けカバーに、プラグ受けの電極端子部分の上方をカバーするおねば受けを設けたことを特徴としている。
【００２１】
一般に、電気炊飯器においては、炊飯時におねばが蓋体に設けた蒸気抜き口から放出される。そして、その放出量が多くなると、蓋体の上面及び外装ケースの外側面を伝わってプラグ受け部分に流れてくることがある。
【００２２】
一方、プラグ受けカバーの上面と、炊飯器本体との間には、若干の隙間があり、おねばが流れてきたときに、当該隙間から電極端子部に侵入することも考えられる。
【００２３】
しかし、上記のようにプラグ受けの電極端子の上方をプラグ受けカバーに設けたおねば受けでカバーしていると、もしおねばが上記隙間から侵入してきても、おねば受けで受け止めることができ、プラグ受けの電極端子に付着するのを防止できる（両電極端子間のショートを防止できる）。
【００２４】
(４)  第４の課題解決手段（請求項４の発明）
この発明の第４の課題解決手段は、上記第２又は第３の課題解決手段の構成において、プラグ受けカバーに下向きに延出する垂下リブを一体に設け、該垂下リブをプラグ受けの両電極端子間において該電極端子の高さ位置まで延設していることを特徴としている。
【００２５】
このように、プラグ受けカバーに垂下リブが設けられており、同垂下リブが両電極端子間まで延設されていると、同垂下リブが上記両電極端子間のリード線のショートを遮る遮断部材となる。その結果、リード線の回動によるショートを確実に防止することができる。
【００２６】
(５)  第５の課題解決手段（請求項５の発明）
この発明の第５の課題解決手段は、上記第４の課題解決手段の構成において、垂下リブでプラグ受けを下面側から係止していることを特徴としている。
【００２７】
このような構成によれば、垂下リブが、上記両電極端子間を遮る遮断部材としての機能のほかに、プラグ受けの係止手段として機能する。
【００２８】
(６)  第６の課題解決手段（請求項６の発明）
この発明の第６の課題解決手段は、上記第２、第３、第４又は第５の課題解決手段の構成において、プラグ受けカバーにプラグ受けの電極端子部分を保守点検するための開口を設けるとともに、該開口を開閉可能な蓋板で閉塞していることを特徴としている。
【００２９】
上記蓋板は、プラグ受けカバー又は外装ケース底壁部に対して、外部から取外し操作可能なビスで固定することができる。
【００３０】
このような構成によれば、蓋板を開くと電極端子部分を保守点検し得る開口が開放されるので、もし電極端子部分にトラブルが発生したときには、該保守点検用開口から容易にトラブル発生部分を点検・修理することができる。
【００３１】
(７)  第７の課題解決手段（請求項７の発明）
この発明の第７の課題解決手段は、上記第６の課題解決手段の構成において、保守点検用開口を閉塞する蓋板の上面に、プラグ受けの両電極端子間において該電極端子の高さ位置まで立上げた立上げリブを設けていることを特徴としている。
【００３２】
このような構成によれば、上記第４の課題解決手段に設けた垂下リブと同様に、立上げリブが両電極端子に接続された電気ヒータ側のリード線間を遮る遮断部材として機能する。又、この立上げリブを上記第４の課題解決手段の垂下リブと共同して用いると、両電極端子間を上下から遮断することができる。
【００３３】
(８)  第８の課題解決手段（請求項８の発明）
この発明の第８の課題解決手段は、上記第７の課題解決手段の構成において、蓋板の立上げリブと、プラグ受けカバーに下向きに垂下する状態で設けた垂下リブとを係脱自在に係合させていることを特徴としている。
【００３４】
この第８の課題解決手段の構成によれば、蓋板側の立上げリブをプラグ受けカバー側の垂下リブに係止させているので、該立上げリブが、両電極端子間を遮る遮断部材としての機能のほかに、蓋板の支持手段（蓋板の垂れ下がり防止手段）として機能する。
【００３５】
又、蓋板を上記ビス止め（第６の課題解決手段）とは別に、立上げリブと垂下リブとを係合させることにより、該蓋板をビス固定部と両リブの係合部との２点で支持できるので、蓋板の取付状態が一層安定する。
【発明の効果】
【００３６】
本願発明の電気炊飯器によると、次のような効果を得ることができる。
【００３７】
まず、炊飯器本体の外装ケースとして、側壁部と底壁部とを合成樹脂で一体成型したものを使用しているので、外装ケースを少ない部品点数（単品のみ）で構成できる。又、側壁部と底壁部とを合成樹脂で一体成型した外装ケースに、マグネットプラグを着脱自在に接合させるプラグ受けを取付けているので、炊飯器本体側に電気コードやコードリールが不要になって、電気炊飯器がコンパクトになるとともに外観が良好になるという効果がある。
【００３８】
又、プラグ受けをプラグ受けカバーを介して外装ケースに取付けると、側壁部及び底壁部が一体の外装ケースを採用した場合にも、プラグ受けの取付構造の自由度が高くなり、しかもおねば侵入防止構造、メンテナンス用の開口などを簡単に実現することができるようになるという効果がある。
【００３９】
又、プラグ受けをプラグ受けカバーを介して外装ケースに取付け、該プラグ受けカバーにプラグ受けの電極端子の上方をカバーするおねば受けを設けると、該おねば受けで炊飯時に発生するおねばがプラグ受けカバーと炊飯器本体間の隙間から侵入しても、該おねばをおねば受けで受け止めることができ、従って該侵入おねばがプラグ受けの電極端子に付着するのを防止できる（両電極端子間のショートを防止できる）という効果がある。
【００４０】
又、プラグ受けカバーに下向きに延出する垂下リブを一体に設け、該垂下リブをプラグ受けの両電極端子間において該電極端子の高さ位置まで延設すると、該垂下リブが両電極端子間のリード線のショートを遮る遮断部材となり、両電極端子に接続される各リード線の端部同士が接触する（ショートする）のを防止できるという効果がある。
【００４１】
又、該垂下リブでプラグ受けを下面側から係止すると、該垂下リブを、上記両電極端子間を遮る遮断部材としての機能のほかに、プラグ受けの係止手段として有効利用できるという効果がある。
【００４２】
又、プラグ受けカバーにプラグ受けの電極端子部分を保守点検するための開口を設けるとともに、該開口を開閉可能な蓋板で閉塞していると、該蓋板を開くことで電極端子部分の保守点検用開口を開放できるので、簡単な作業で（大掛かりな解体作業を行わずに）電極端子部分を点検・修理することができるという効果がある。
【００４３】
又、保守点検用開口を閉塞する蓋板の上面に、プラグ受けの両電極端子間において該電極端子の高さ位置まで立上げた立上げリブを設けていると、該立上げリブが両電極端子間を遮る遮断部材として機能し、両電極端子に接続される各リード線の端部同士が接触する（ショートする）のを防止できるという効果がある。さらに、この立上げリブを上記垂下リブと共同して用いると、両電極端子間を上下から遮断することができるので、両電極端子間をより一層確実に遮断できるという効果がある。
【００４４】
又、蓋板の立上げリブと、プラグ受けカバーに下向きに垂下する状態で設けた垂下リブとを係脱自在に係合させていると、該立上げリブを、両電極端子間を遮る遮断部材としての機能のほかに、蓋板の支持手段（蓋板の垂れ下がり防止手段）として有効利用できる。又、このように、蓋板をビス止めとは別に、立上げリブと垂下リブとを係合させると、該蓋板をビス固定部と両リブの係合部との２点で支持できるので、蓋板の取付状態が一層安定するという効果がある。
【発明を実施するための最良の形態】
【００４５】
図１〜図７には、本願発明の実施形態に係る電気炊飯器が示されている。
【００４６】
この電気炊飯器は、図１に示すように、炊飯器本体１と、炊飯器本体１内に収納される内鍋３と、炊飯器本体１の上部を覆う蓋体２とを備えて構成されている。蓋体２は、炊飯器本体１の肩部においてヒンジ軸１０で枢動開閉自在に枢着されている。
【００４７】
炊飯器本体１は、外装ケース１１と内ケース１８とを有する二重構造となっている。内ケース１８内の底部には、電気ヒータ４が取付けられいる。炊飯器本体１の前部側には、各種の電気制御を行うマイコン基板９が設置されている。
【００４８】
蓋体２は、外蓋２１と内蓋２２とを有している。内蓋２２は、内鍋３の開口縁部を閉塞している。この蓋体２には、調圧機能付きの蒸気抜き口２３が形成されている。
【００４９】
炊飯器本体１の外装ケース１１は、側壁部１２と底壁部１３とを合成樹脂で一体成形したものを使用している。
【００５０】
この電気炊飯器では、図２（図１の底面図）に示すように、電源コードＱの先端部に取付けたマグネットプラグＰを介して給電されるが、外装ケース１１には、その後面側下部にマグネットプラグＰを着脱自在に接合させるプラグ受けユニットＵを取付けている。このプラグ受けユニットＵは、外装ケース１１における後面側下部の側壁部１２と底壁部１３に跨がる位置に取付けられている。尚、図２の電源コードＱの他端部には、通常の差込みプラグが取付けられており、該差込みプラグがＡＣ電源（コンセント）に接続される。
【００５１】
プラグ受けユニットＵは、図３〜図６に詳細表示するように、マグネットプラグＰを接合させるプラグ受け５と、該プラグ受け５を保持するためのプラグ受けカバー６と、該プラグ受けカバー６の開口６３（後述する）を閉塞する蓋板８とを備えている。プラグ受け５（電極端子５２，５２、及び磁石吸着板５３を除く）、プラグ受けカバー６、及び蓋板８は、それぞれ合成樹脂によって一体成形されている。
【００５２】
プラグ受け５には、外面側にマグネットプラグＰを接続させるプラグ挿入口５１を設けているとともに、内外に貫通する２つの電極端子５２，５２を有している。各電極端子５２，５２は、外部端子５２ａがピンプラグとしてプラグ挿入口５１内に突出しており、内部端子５２ｂがプラグ受け５の内面側に突出している。尚、各内部端子５２ｂ，５２ｂには、ビス２０を螺入させるためのネジ穴が形成されている。プラグ挿入口５１の奥面には、マグネットプラグＰの磁石を吸着させるための所定の幅の磁石吸着板（ステンレス又は鉄製のプレート）５３が取付けられている。
【００５３】
このプラグ受け５の左右各側面には、後述するプラグ受けカバー６側の各凸条６９，６９（図４〜図６参照）を嵌入させる縦向きの凹溝５５，５５が形成されている。この各凹溝５５，５５は、プラグ受け５の左右各側面における上端から下端付近までの範囲に縦長に形成されている。又、プラグ受け５の内面側には、両内部端子５２ｂ，５２ｂ間において後述するプラグ受けカバー６側の垂下リブ７２の外向き爪７２ａを下方から係止させる棚状の爪受部５４を形成している。尚、上記凹溝５５及び爪受部５４の機能については、プラグ受け５の組付け説明の項で述べる。
【００５４】
プラグ受けカバー６は、外装ケース１１の側壁部１２と底壁部１３に跨がる側面視略Ｌ形に形成されている。即ち、該プラグ受けカバー６は、縦向きの側面部６１と横向きの底面部６２とを有している。又、このプラグ受けカバー６には、側面部６１の下部側と底面部６２に跨がるかなり大きな開口６３が形成されている。底面部６２は、開口６３を隔てて左右に小幅づつあり、該各小幅底面部６２，６２の後端部を連結板６４で連結している。この連結板６４は、各小幅底面部６２，６２の上面から蓋板８の厚さ分だけ段上げされている。又、この連結板６４には、後述するビス９０を挿通させるためのビス挿通穴６５が形成されている。尚、このビス挿通穴６５は、外装ケース底壁部１３側のネジ穴１７に対応する位置にある。
【００５５】
外装ケース１１におけるプラグ受けユニットＵの取付部分には、プラグ受けカバー６の外形形状と同形の開口１４が形成されており、該開口１４内にプラグ受けカバー６が嵌め込まれている（詳細は後述する）。この外装ケース１１の開口１４の上縁部内面には、横長の係止突起１５（図３及び図４参照）が形成されている。又、該開口１４の後端部には、図３〜図５に示すように、該開口１４の左右方向中央部において底壁部１３に連続する段上げ部１６が一体成形されている。この段上げ部１６には、後述するビス９０を螺入させるネジ穴１７が形成されている。
【００５６】
プラグ受けカバー６の側面部６１の上部には、横長で小高さの立上げ壁６６が形成されている。この立上げ壁６６には、上記した外装ケース開口１４の上縁部内面の係止突起１５を嵌入・係止させるための長穴状の受穴６７が形成されている（図３及び図４参照）。
【００５７】
プラグ受けカバー６における各小幅底面部６２，６２の後端寄り外側部には、それぞれ係止爪６８，６８（図６参照）が一体形成されている。この係止爪６８，６８は、図４及び図５に示すように外装ケース底壁部１３の開口１４の縁部に係止されるものである。
【００５８】
プラグ受けカバー６の側面部６１の上部には、上記立上げ壁６６の下端部後面側に水平棚状のおねば受け７０が形成されている。このおねば受け７０は、図４及び図６に示すように、立上げ壁６６の左右幅と同幅（例えば４５mm程度）で内外方向にかなりの幅（例えば１０mm程度）を有している。そして、このおねば受け７０は、プラグ受け５をプラグ受けカバー６に組付けた状態（図３、図４参照）では、プラグ受け５の各内部端子５２ｂ，５２ｂの基端部寄り上方をカバーするようになっている。尚、このおねば受け７０の機能については後述する。
【００５９】
上記おねば受け７０の内側端部寄りの左右幅中央には、平面視四角形で縦向きのおねば流下穴７１が一体形成されている。このおねば流下穴７１の左右幅は、図４に示すように左右の各内部端子５２ｂ，５２ｂ間の空間間隔よりかなり狭い範囲であり、もしおねばがおねば受け７０上から該おねば流下穴７１の内壁面を伝って滴下しても、その滴下おねばが両内部端子５２ｂ，５２ｂ間の空間部に落下するようになっている（各内部端子５２ｂ，５２ｂに滴下おねばが付着しない）。
【００６０】
上記おねば流下穴７１を構成する内側（炊飯器本体の中心側）の壁には、下向きに垂下する垂下リブ７２が一体形成されている。この垂下リブ７２は、左右幅が比較的小幅（例えば７mm程度）であり、かつ図４及び図５に示すように両内部端子５２ｂ，５２ｂ間において図３に示すように内部端子５２ｂの高さ位置まで延設している。又、この垂下リブ７２の下端部には、内外両方向に突出する外向き爪７２ａと内向き爪７２ｂがそれぞれ形成されている。
【００６１】
プラグ受けカバー６の側面部６１における左右各縦壁６１ａ，６１ａ（図５、図６参照）の各内面には、それぞれプラグ受け５の各凹溝５５，５５内に嵌入する縦向きの凸条６９，６９が形成されている。この各凸条６９，６９には、プラグ受け５の各凹溝５５，５５が下方から嵌合される。
【００６２】
蓋板８は、プラグ受けカバー６の底面部６２の開口６３（連結板６４の下面を含む）を閉塞し得る面積を有している。該蓋板８の後端寄り位置には、ビス９０を挿通させるビス挿通穴８１が形成されている。尚、このビス挿通穴８１は、プラグ受けカバー６のビス挿通穴６５に対応する位置にある。
【００６３】
蓋板８の上面には、そのほぼ中央付近に前後に間隔をもって２つの立上げリブ（前側立上げリブ８２と後側立上げリブ８３）が一体形成されている。前側立上げリブ８２及び後側立上げリブ８３は、左右幅がプラグ受けカバー６の垂下リブ７２の左右幅とほぼ同幅（７mm程度）に形成されている。前側立上げリブ８２の上端部には、外向き爪８２ａが形成されている。この前側立上げリブ８２の外向き爪８２ａは、蓋板８をプラグ受けカバー６に組付けたときにプラグ受けカバー６側の垂下リブ下端部の内向き爪７２ｂに係合するものである。後側立上げリブ８３は、前側立上げリブ８２の後側に若干距離（例えば１０mm程度）だけ離間した位置に形成されている。
【００６４】
プラグ受け５とプラグ受けカバー６と蓋板８からなるプラグ受けユニットＵは、外装ケース１１の開口（プラグ受けユニット取付用開口）１４部分に次のようにして組付ける。尚、炊飯器本体１側の外装ケース１１、内ケース１８、電気ヒータ４、マイコン基板９、及び各リード線等は、それぞれ通常通り組付けておき、プラグ受け５の各内部端子５２ｂ，５２ｂに結線すべき２本のリード線１９，１９の各端子（丸形端子）１９ａ，１９ａをそれぞれ外装ケース１１の開口１４付近に位置させておく。
【００６５】
プラグ受けユニットＵの外装ケース開口１４部分に対する組付けは、プラグ受けカバー６、プラグ受け５、蓋板８の順序で１つづ行うこともできるが、プラグ受け５を先にプラグ受けカバー６に組付けた状態で、プラグ受け５付きのプラグ受けカバー６を外装ケース１１の開口１４に組付けるようにするとよい。その場合、プラグ受け５をプラグ受けカバー６の側面部６１の左右縦壁６１ａ，６１ａ間の下方から、該左右縦壁６１ａ，６１ａの内面の各凸条６９，６９にプラグ受け５側の各凹溝５５，５５を嵌合させながら上方に挿入し、該プラグ受け５を、プラグ受け５側の爪受部５４がプラグ受けカバー６側の垂下リブ７２下端部の外向き爪７２ａの上側に乗り越えるまで押し込む。この状態では、図３に示すようにプラグ受け５の上面（前面側膨出部を除く部分）がプラグ受けカバー６のおねば受け７０の下面に衝合しているとともに、プラグ受け５側の爪受部５４下面がプラグ受けカバー６側の垂下リブ下端部の外向き爪７２ａで係止されていて、プラグ受け５とプラグ受けカバー６とが上下に位置ずれしないようになっている。又、この状態では、図５に示すようにプラグ受けカバー６側の各凸条６９とプラグ受け５側の各凹溝５５とがそれぞれ嵌合していることにより、プラグ受け５とプラグ受けカバー６とが左右及び前後に位置ずれしないようになっている。
【００６６】
このように、プラグ受け５をプラグ受けカバー６に合体させた状態で、プラグ受けカバー６を外装ケース１１の開口１４部分に嵌め込むが、その際、プラグ受けカバー６の立上げ壁６６の受穴６７内に外装ケース開口１４の上縁部の係止突起１５を係入させる一方、プラグ受けカバー５の各小幅底面部６２，６２に設けている各係止爪６８，６８を開口１４の口縁部上面にそれぞれ係止させる。この状態では、プラグ受けカバー６の前部（受穴６７部分）が外装ケース１１側の係止突起１５で支持されている一方、プラグ受けカバー６の後部側の左右２箇所（各係止爪６８，６８部分）が開口１４の左右口縁部で支持されているので、プラグ受け５付きのプラグ受けカバー６が外装ケース１の開口１４部分に安定姿勢で保持されている。又、この状態では、蓋板８がまだ取付けられていないので、図７に示すようにプラグ受けカバー６の開口６３が開放されたままである。
【００６７】
そして、この状態でプラグ受けカバー６の開口６３から指を差し入れて、各リード線１９，１９の各端子１９ａ，１９ａを各内部端子５２ｂ，５２ｂの下面にあてがい、それぞれビス２０，２０で締め付けて結線する。
【００６８】
その後、蓋板８をプラグ受けカバー６の開口６３部分に被せ、蓋板８側の立上げリブ８２の外向き爪８２ａをプラグ受けカバー６側の垂下リブ７２の内向き爪７２ｂに係止させた状態で、ビス９０を蓋板８のビス挿通穴８１及びプラグ受けカバー６のビス挿通穴６５を通して外装ケース底壁部１３部分のネジ穴１７に螺入する（締め付ける）と、プラグ受けユニットＵの組立作業が完了する。尚、蓋板８は、立上げリブ８２の外向き爪８２ａによる係止と、ビス９０による締め付けとの２箇所で固定されているので、取付状態が安定している。又、立上げリブ８２の外向き爪８２ａを垂下リブ７２の内向き爪７２ｂに係止させているので、蓋板８の前部側の垂れ下がりを防止し得るようになっている。
【００６９】
この実施形態の電気炊飯器では、外装ケース１１として側壁部１２と底壁部１３とを合成樹脂で一体成型したものでも、該外装ケース１１にプラグ受け５を取付けているので、着脱可能なマグネットプラグＰを介して給電できる。
【００７０】
ところで、この種の電気炊飯器においては、炊飯時におねばが蓋体２の蒸気抜き口２３（図１）から放出されるが、このおねばの放出量が多くなると、該おねばが外蓋２１上面及び外装ケース１１の側壁部１２外面を伝わってプラグ受け設置部分に流れてくることがある。他方、図３に示すように、外装ケース側壁部１２の開口１４の上縁部とプラグ受けカバー６の上面との間には、若干の隙間Ｓがあるので、上記のようにおねばが外装ケース１１の側壁部１２外面を伝わってプラグ受け設置部分に流れてきたときに、そのおねばが上記隙間Ｓからプラグ受けカバー６の受穴６７を通ってプラグ受けカバー６の上面（おねば受け７０の上面）に侵入することが考えられる。その場合、侵入したおねばは、おねば受け７０上で受け止めることができ、従って該侵入おねばがプラグ受け５の内部端子５２ｂ，５２ｂに付着するのを防止できる（両内部端子５２ｂ，５２ｂ間のショートを防止できる）。尚、電極端子５２，５２の外部端子５２ａ，５２ａは、プラグ挿入口５１の内方に位置しているので、おねばがプラグ受け５の外面を伝わって流下しても、該おねばが外部端子５２ａ，５２ａに付着することはない。
【００７１】
又、おねば受け７０上に多量のおねばが侵入したときには、その一部のおねばがおねば流下穴７１内を通って流下することが考えられるが、おねば流下穴７１は両内部端子５２ｂ，５２ｂ間の空間部上方に位置しているので、おねば流下穴７１から摘下したおねばが各内部端子５２ｂ，５２ｂに付着しにくい。
【００７２】
又、各内部端子５２ｂ，５２ｂと各リード線１９，１９の端子１９ａ，１９ａとは、それぞれビス２０，２０で固定しているが、もし該ビス２０，２０が弛むと、リード線１９，１９の端部付近が図４に鎖線図示（符号１９′，１９′）するように相互に近接することが考えられる。その場合、両内部端子５２ｂ，５２ｂ間に垂下リブ７２や立上げリブ８２があるので、リード線１９，１９の端子１９ａ，１９ａ同士が接触することがなく、さらに内側立上げリブ８３を設けていると、各リード線１９，１９が図４の符号１９′，１９′の位置までしか近接しないので、両端子１９ａ，１９ａが接触するのを確実に防止することができる。
【００７３】
又、この実施形態では、垂下リブ７２下端の外向き爪７２ａ及び内向き爪７２ｂでそれぞれプラグ受け５と蓋板８とを係止しているので、該垂下リブ７２を、両電極端子間の遮断部材としての機能のほかに、プラグ受け５の係止手段及び蓋板８の係止手段として機能させることができる。
【００７４】
又、蓋板８は、外装ケース１１の下面からビス９０を抜き外すことで、図７に示すように取外すことができる（プラグ受けカバー６の開口６３が開放される）。従って、もし内部端子５２ｂとリード線端子１９ａの結線部分にトラブルが発生したときには、プラグ受けカバー６の開口６３を開放させて、該開口６３から容易にトラブル発生部分を点検・修理することができる。
【００７５】
（その他の実施形態）
上記の実施形態では、プラグ受け５のプラグ挿入口５１を水平方向に開口させているが、他の実施形態では、該プラグ挿入口５１をやや下向きに開口させることができる。この場合には、該プラグ挿入口５１に挿入されるマグネットプラグが外方下向き姿勢になるので、何らかの理由でマグネットプラグ上に水が落ちても、その水が外方に流れ落ちるようになる。従って、不用意にマグネットプラグ上に水がかかっても、プラグ挿入口５１内の外部端子５２ａあるいはマグネットプラグ側の電極端子が濡れない。
【図面の簡単な説明】
【００７６】
【図１】本願実施形態の電気炊飯器の縦断面図である。
【図２】図１の電気炊飯器の底面図である。
【図３】図１の電気炊飯器におけるプラグ受け取付部分の拡大断面図（図２のII-II相当断面図）である。
【図４】図３のIV−IV矢視図である。
【図５】図３のＶ−Ｖ矢視図である。
【図６】図１の電気炊飯器に使用しているプラグ受けユニットの分解斜視図である。
【図７】図３の状態から蓋板を取外した状態図である。
【符号の説明】
【００７７】
１は炊飯器本体、２は蓋体、３は内鍋、４は電気ヒータ、５はプラグ受け、６はプラグ受けカバー、８は蓋板、１１は外装ケース、１２は側壁部、１３は底壁部、１４は開口、１９はリード線、１９ａはリード線端子、２３は蒸気抜き口、５１はプラグ挿入口、５２は電極端子、５２ｂは内部端子、６１は側面部、６２は底面部、６３は開口、７０はおねば受け、７２は垂下リブ、８２は立上げリブである。
【図１】
2005319015.tif 000003
【図２】
2005319015.tif 000004
【図３】
2005319015.tif 000005
【図４】
2005319015.tif 000006
【図５】
2005319015.tif 000007
【図６】
2005319015.tif 000008
【図７】
2005319015.tif 000009